【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
第１の薬物を生体生物系に送達する方法であって、少なくとも１つのタイプの微小担体を前記生体生物系に導入するステップを含む方法。
【請求項２】
前記微小担体が、前記微小担体内に封入されている第１の薬物を含有し、前記薬物が放出される前に、前記薬物が前記生体生物系の成分と相互作用するのを避けるための区画を含む、請求項１に記載の方法。
【請求項３】
前記微小担体が、前記第１の薬物とは異なる薬物を含有する追加の区画を含有する、請求項２に記載の方法。
【請求項４】
前記微小担体が、薬物封入、薬物輸送、感知、データ収集、分析、ロジック処理、意思決定、位置決め、表面処理、薬物放出、信号受信及び送信、微小担体位置検出、微小担体移動、切断、除去、生分解、及び分解からなる群から選択される少なくとも２つの機能を各々実施することが可能であるサブユニットを含む、請求項１に記載の方法。
【請求項５】
前記微小担体が、前記薬物が放出されることになる標的部位に対して高度な選択性を有する、請求項１に記載の方法。
【請求項６】
前記薬物が前記標的部位に放出される前に、前記生物系内の一般領域を前処理することにより前記高度な選択性が増強される、請求項５に記載の方法。
【請求項７】
前記前処理プロセスが、感知及び前記標的部位識別の選択性及び正確性を増加させるために、前記標的部位及び非標的部位の特性の差異を増強し、前記特性が、表面電荷、表面静止電位、導電率、表面電流、バルク電流、表面吸着特性、表面吸収特性、表面張力、光学的特性、化学的組成、生物学的特性、生物学的組成、密度、摩擦、局所的ｐＨ、局所的な化学的特性、局所的な化学的排出及び存在、局所的な生物学的種及び存在、又は音響特性である、請求項６に記載の方法。
【請求項８】
前記標的部位が、癌性細胞を含み、前記非標的部位が、癌性細胞を含まない、請求項７に記載の方法。
【請求項９】
前記前処理プロセスが、前記標的部位に対する前記微小担体の結合の選択性及び正確性を増加させるために、前記標的部位及び非標的部位の特性の差異を増強し、前記特性が、表面電荷、表面静止電位、導電率、表面電流、バルク電流、表面吸着特性、表面吸収特性、表面張力、光学的特性、化学的組成、生物学的特性、生物学的組成、密度、摩擦、局所的ｐＨ、局所的な化学的特性、局所的な化学的排出及び存在、局所的な生物学的種及び存在、又は音響特性である、請求項６に記載の方法。
【請求項１０】
前記標的部位が、癌性細胞を含み、前記非標的部位が、癌性細胞を含まない、請求項９に記載の方法。
【請求項１１】
前記微小担体が、２オングストローム〜５ミリメートルの範囲のサイズを有する、請求項１に記載の方法。
【請求項１２】
前記微小担体が、１００オングストローム〜５００ミクロンの範囲のサイズを有する、請求項１に記載の方法。
【請求項１３】
（ａ）前記所望の薬物を含有する前記微小担体を、前記治療しようとする生物系内の一般領域に適用するステップと、（ｂ）前記微小担体から、前記治療しようとする生物系内の前記一般領域に前記薬物を放出するステップとを更に含む、請求項１に記載の方法。
【請求項１４】
（ａ）前記所望の薬物を含有する前記微小担体を、治療しようとする一般領域に適用するステップと、（ｂ）前記治療しようとする一般領域を走査するステップと、（ｃ）前記治療しようとする標的部位を識別するステップと、（ｄ）前記標的部位に前記微小担体を選択的に結合させるステップと、（ｅ）前記治療しようとする標的部位に前記薬物を放出するステップとを更に含む、請求項１に記載の方法。
【請求項１５】
（ａ）治療しようとする一般領域に前記微小担体を適用するステップと、（ｂ）前記微小担体により前記一般領域を処理して、標的部位及び非標的部位の特性の差異を増強するステップと、（ｃ）前記治療しようとする一般領域を走査するステップと、（ｄ）前記治療しようとする標的部位を識別するステップと、（ｅ）前記治療しようとする標的部位に前記微小担体を選択的に結合させるステップと、（ｆ）前記微小担体から、前記治療しようとする標的部位に前記薬物を放出するステップとを更に含む、請求項１に記載の方法。
【請求項１６】
（ａ）治療しようとする一般領域に前記微小担体を適用するステップと、（ｂ）前記微小担体により前記一般領域を処理して、標的部位及び非標的部位の特性の差異を増強するステップと、（ｃ）前記少なくとも１つの所望の薬物を含有する微小担体を、前記治療しようとする一般領域に適用するステップと、（ｄ）前記治療しようとする一般領域を走査するステップと、（ｅ）前記治療しようとする標的部位を識別するステップと、（ｆ）前記治療しようとする標的部位に前記微小担体を選択的に結合させるステップと、（ｇ）前記微小担体から、前記治療しようとする標的部位に前記薬物を放出するステップとを更に含む、請求項１に記載の方法。
【請求項１７】
（ａ）前記微小担体に統合されている微小モーター、位置検出ユニット、又はロジックユニットにより、治療しようとする一般領域に前記微小担体を移動させるステップと、（ｂ）前記微小担体の感知器により、前記治療しようとする一般領域を走査し、前記一般領域の物理的、化学的、生物学的、機械的、光学的、又は音響的パラメータのデータを収集するステップと、（ｃ）前記収集した一組のデータを分析するステップと、（ｄ）治療しようとする標的部位を識別するステップと、（ｅ）前記治療しようとする標的部位に前記微小担体を選択的に結合させるステップと、（ｆ）前記微小担体から、前記治療しようとする標的部位に前記薬物を放出するステップと、（ｄ）随意に、前記微小担体を、個々のサイズが１ミクロンよりも小さな小片へと分解するステップとを更に含む、請求項１に記載の方法。
【請求項１８】
前記標的部位が、細胞、ＤＮＡ構造、細菌、又は器官を含む、請求項１４、１５、１６、１７、又は３６に記載の方法。
【請求項１９】
前記標的部位の識別が、前記標的部位及び前記非標的部位の測定された特性を比較することにより実施される、請求項１４、１５、１６、１７、又は３６に記載の方法。
【請求項２０】
前記薬物送達法が、癌治療用である、請求項１に記載の方法。
【請求項２１】
前記薬物送達法が、糖尿病治療用である、請求項１に記載の方法。
【請求項２２】
前記薬物送達法が、血液関連疾患の治療用である、請求項１に記載の方法。
【請求項２３】
前記薬物送達法が、前記微小担体に含まれている微小針を使用する、請求項１に記載の方法。
【請求項２４】
治療しようとする一般領域の特性を、前記微小担体により測定するステップを含み、前記特性が、表面電荷、表面静止電位、導電率、表面電流、バルク電流、表面吸着特性、表面吸収特性、表面張力、音響特性、電圧、局所的圧力、密度、硬さ、摩擦、光学的特性、局所的ｐＨ、局所的な化学的種排出、局所的な生物学的種排出、化学的組成、又は生物学的組成である、請求項１に記載の方法。
【請求項２５】
前記薬物が、細胞膜受容体タンパク質、上皮成長因子受容体、インスリン様増殖因子タイプ１受容体、又は血管内皮増殖因子受容体である、請求項１に記載の方法。
【請求項２６】
前記微小担体が、制御された速度で及び前記異なる薬物間の所望の時間間隔で前記薬物を順次放出し、前記放出された薬物の効果を最大限にする、請求項３に記載の方法。
【請求項２７】
前記微小担体が、薬物保持区画、感知器、ロジック処理ユニット、メモリユニット、注入器、針、信号送信器、信号受信器、位置検出ユニット、微小モーター、ナイフ、又はピンセットを含む一組の統合されたサブユニットにより、複数の機能を実施することができる、請求項１に記載の方法。
【請求項２８】
前記微小担体が、生体適合性無機材料、生体適合性半導体材料、及び生分解性材料からなる群から選択される材料で製作されることを特徴とする、請求項１に記載の方法。
【請求項２９】
前記生分解性合成高分子材料が、アミド、無水物、又はエステル基を含む骨格を有する、請求項３５に記載の方法。
【請求項３０】
前記微小担体が、その使用後に１ミクロン未満の小片に分解することが可能である、請求項１、１４、１５、１６、又は１７に記載の方法。
【請求項３１】
前記微小担体が、前記微小担体に統合されている微小モーターにより、標的部位に到達することができる、請求項１に記載の方法。
【請求項３２】
前記微小担体が、前記微小担体に統合されている微小モーター、位置検出デバイス、又はロジック処理ユニットにより、標的部位に到達することができ、前記位置検出デバイス又は前記ロジック処理ユニットが、前記微小モーターにその次の動きに関する指示を提供する、請求項１に記載の方法。
【請求項３３】
前記微小担体が、前記微小担体に統合されている微小モーター、位置検出デバイス、感知器、又はロジック処理ユニットにより、標的部位に到達することができ、前記位置検出デバイス、前記感知器、又は前記ロジック処理ユニットが、（ａ）前記位置検出デバイスによる担体位置、及び（ｂ）前記感知器により感知された局所環境信号に関する情報に基づき、前記微小モーターにその次の動きに関する指示を提供する、請求項１に記載の方法。
【請求項３４】
前記微小担体が、マイクロエレクトロニクス製造技術を含む集積回路生産プロセスにより製作される、請求項１に記載の方法。
【請求項３５】
前記生分解性材料が、天然生物材料、合成生物材料、合成高分子材料、又は有機材料である、請求項２８に記載の方法。
【請求項３６】
（ａ）治療しようとする一般領域に前記微小担体を適用するステップと、（ｂ）前記微小担体により前記一般領域を処理して、標的部位及び非標的部位の特性の差異を増強するステップと、（ｃ）前記一般領域を感知し、感知器によりデータを収集するステップと、（ｄ）前記感知器により収集された前記データを分析するステップと、（ｅ）前記微小担体による次の動きに関するロジック決定を行うステップと、（ｅ）ロジック決定に続く次の動きを行うステップと、（ｆ）標的部位を識別又は標的部位に到達するまで、ステップ（ｃ）〜（ｅ）を繰り返すステップと、（ｅ）随意に、前記微小担体を前記標的部位に結合させ、前記薬物を放出するステップと、（ｆ）随意に、前記微小担体を、個々のサイズが１ミクロンよりも小さな小片に分解するステップとを更に含む、請求項１に記載の方法。
【請求項３７】
（ａ）前記微小担体を一般領域に適用するか、又は前記微小担体を、微小モーター、位置検出器、ロジックユニット、又は感知器により一般領域に移動させるステップと、（ｂ）随意に、前記微小担体により前記一般領域を処理して、標的部位及び非標的部位の特性の差異を増強するステップと、（ｃ）前記微小担体を前記標的部位に選択的に吸収又は吸着させるステップと、（ｄ）前記薬物を前記標的部位に放出するステップと、（ｅ）随意に、前記微小担体を、個々のサイズが１ミクロンよりも小さな小片に分解するステップとを更に含む、請求項１に記載の方法。
【請求項３８】
前記微小担体に統合されている電圧比較器を使用して、細胞表面の静止電位を測定し、治療しようとする標的部位を識別するステップを更に含む、請求項１に記載の方法。
【請求項３９】
前記微小担体が、感知器、位置検出器、微小注入器、ロジック処理ユニット、メモリユニット、微小モーター、信号送信器、信号受信器、微小針、微小ナイフ、微小ピンセット、微小カッタ、微小ハンマ、微小遮蔽体、微小染料、微小ピン、微小ナイフ、微小スレッドホルダ、微小光吸収体、微小鏡、微小遮蔽体、微小ホイーラ、微小フィルタ、微小チョッパ、微小シュレッダ、微小ポンプ、微小吸収体、微小信号検出器、微小ドリル、微小吸引器、信号発生器、摩擦感知器、電荷感知器、温度感知器、硬さ検出器、音波発生器、光波発生器、熱発生器、微小冷蔵庫、又は電荷発生器を更に含む、請求項２に記載の方法。
【請求項４０】
第１の薬物を生体生物系に送達するための微小担体であって、
（ａ）前記第１の薬物を封入するための微小担体内にある第１の微小容器と、
（ｂ）前記微小担体に統合されており、前記生体生物系の一般領域を走査することが可能であり、前記領域の特性を検出することが可能であり、前記微小担体を前記標的部位に選択的に結合させるために標的部位を識別することが可能である感知器；又は前記微小担体の一部を構成し、前記微小担体を標的部位に吸収又は吸着することが可能な材料と、
（ｃ）前記微小容器から前記薬物を前記標的部位に送達するための、前記微小容器に取り付けられている注入器とを含む微小担体。
【請求項４１】
前記第１の薬物とは異なる薬物を封入するために、前記微小担体内に追加の微小容器を更に含む、請求項４０に記載の微小担体。
【請求項４２】
前記微小担体が、制御された速度で及び前記異なる薬物間の所望の時間間隔で前記異なる薬物を順次放出する、請求項４１に記載の微小担体。
【請求項４３】
前記薬物が放出される前に、前記標的部位及び非標的部位の検出される特性の差異を増強するための前処理ユニットを更に含む、請求項４０に記載の微小担体。
【請求項４４】
前記標的部位が、癌性細胞を含み、前記非標的部位が、癌性細胞を含まない、請求項４３に記載の微小担体。
【請求項４５】
前記特性が、表面張力、光学特性、化学的組成物、生物学的特性、生物学的組成、密度、摩擦、局所的ｐＨ、局所的な化学的特性、局所的な化学的排出及び存在、局所的な生物学的種及び存在、表面電荷、表面静止電位、導電率、表面電流、バルク電流、表面吸着特性、表面吸収特性、又は音響特性である、請求項４０に記載の微小担体。
【請求項４６】
前記標的部位が、細胞、ＤＮＡ構造、組織、細菌、又は器官を含む、請求項４０に記載の微小担体。
【請求項４７】
前記感知器が、前記一般領域の特性を測定することが可能であり、前記標的部位及び前記非標的部位の測定された特性を比較することにより前記標的部位を識別することが可能である、請求項４０に記載の微小担体。
【請求項４８】
前記感知器が、細胞表面の静止電位を測定することが可能であり、前記癌性細胞と前記正常細胞とを識別することが可能である電圧比較器である、請求項４７に記載の微小担体。
【請求項４９】
前記第１の薬物が、細胞膜受容体タンパク質、上皮成長因子受容体、インスリン様増殖因子タイプ１受容体、又は血管内皮増殖因子受容体である、請求項４０に記載の微小担体。
【請求項５０】
位置検出器、ロジック処理ユニット、メモリユニット、微小モーター、信号送信器、信号受信器、微小針、微小ナイフ、微小ピンセット、微小カッタ、微小ハンマ、微小遮蔽体、微小染料、微小ピン、微小ナイフ、微小スレッドホルダ、微小光吸収体、微小鏡、微小遮蔽体、微小ホイーラ、微小フィルタ、微小チョッパ、微小シュレッダ、微小ポンプ、微小吸収体、微小信号検出器、微小ドリル、微小吸引器、信号発生器、摩擦感知器、電荷感知器、温度感知器、硬さ検出器、音波発生器、光波発生器、熱発生器、微小冷蔵庫、又は電荷発生器を更に含む、請求項４０に記載の微小担体。
【請求項５１】
前記ロジック処理ユニットが、前記薬物が放出される前に、前記感知器又は前記位置検出器により収集されたデータを分析することができ、随意に、次の動きを決定することができる、請求項５０に記載の微小担体。
【請求項５２】
前記微小モーターが、随意に、前記ロジック処理ユニット又は前記位置検出器の指示に従うことにより、前記微小担体を前記一般領域又は前記標的部位に移動させることが可能である、請求項５０に記載の微小担体。
【請求項５３】
前記微小担体が、生体適合性無機材料、生体適合性半導体材料、又は生分解性材料を含む、請求項４０に記載の微小担体。
【請求項５４】
前記生分解性材料が、天然生物材料、合成生物材料、合成高分子材料、又は有機材料である、請求項５３に記載の微小担体。
【請求項５５】
前記生分解性合成高分子材料が、アミド、無水物、又はエステル基を含む骨格を有する、請求項５４に記載の微小担体。
【請求項５６】
前記微小担体が、２オングストローム〜５ミリメートルの範囲のサイズを有する、請求項４０に記載の微小担体。
【請求項５７】
前記微小担体が、１００オングストローム〜５００ミクロンの範囲のサイズを有する、請求項４０に記載の微小担体。
【請求項５８】
前記微小担体が、その使用後に１ミクロンよりも小さな小片に分解することが可能である、請求項４０に記載の微小担体。
【請求項５９】
前記微小担体が、マイクロエレクトロニクス製造技術を含む集積回路生産プロセスにより製作される、請求項４０に記載の微小担体。
【請求項６０】
前記微小担体が、癌、糖尿病、又は血液関連疾患の治療用である請求項４０に記載の微小担体。